(57)【特許請求の範囲】
【請求項１】
箱型収容体を構成し、端縁に向かって開口するコード挿通孔と、該コード挿通孔の両端縁から内方に向かって突設された一対の突起を備える板状部材の前記コード挿通孔の周縁に、該コード挿通孔の開口側から嵌め込まれて取り付けられる樹脂製のコード保護具であって、
平板状の本体部の内面に、前記コード挿通孔に係合するフックと、前記コード挿通孔の周縁に嵌合する門型の保護枠と、を設けるとともに、該保護枠の両側に一体に形成されて前記板状部材の前記コード挿通孔に係合する係合片を突設し、
前記本体部の上下方向において前記フックと前記係合片との間に矩形窓を形成し、
該矩形窓内に、前記本体部からその内面側に向かって突出して前記板状部材を押圧するとともに、前記板状部材の一対の前記突起に係止される係止バネを収容し、
前記矩形窓の前記係止バネの周囲に隙間を形成して構成されることを特徴とするコード保護具。
【請求項２】
前記係止バネの基端部に凹溝状の屈曲部を幅方向に沿って形成したことを特徴とする請求項１に記載のコード保護具。
【請求項３】
前記係合片の前記板状部材の前記コード挿通孔に対向する内面に係合リブを突設するとともに、該係合片に、前記保護枠の外周に沿うスリットを形成したことを特徴とする請求項１又は２に記載のコード保護具。
【請求項４】
前記係止バネは、前記フックの中心と左右の前記係合片の各中心を結ぶ直線によって形成される三角形の斜辺上又は三角形によって囲まれる領域内に設けられていることを特徴とする請求項１〜３の何れかに記載のコード保護具。
【発明の詳細な説明】
【技術分野】
【０００１】
本発明は、板状部材のコード挿通孔に挿通するコードを保護するためのコード保護具に関するものである。
【背景技術】
【０００２】
例えば、車両に搭載されるバッテリを収容するバッテリボックス等の箱型収容体は、板金製の板状部材によって構成されているが、板状部材には、バッテリに接続されたコードを通すためのコード挿通孔が形成されている。ここで、板金製の板状部材に開口するコード挿通孔の周縁は鋭いエッジを形成しているため、そのままではコードがコード挿通孔のエッジによって損傷し、その表面の被覆が剥がれる等の問題が発生する。
【０００３】
そこで、板状部材のコード挿通孔の周縁に樹脂製のコード保護具を嵌め込み、コード挿通孔に通されたコードをコード保護具によって保護してその損傷を防ぐことが行われている。斯かるコード保護具の取付構造として、特許文献１には図９及び図１０に示すものが提案されている。
【０００４】
即ち、図９は特許文献１において提案されたコード保護具（コードブッシング）の取付構造を示す分解斜視図、図１０は同側断面図であり、図９に示すように、板状部材１１０には、上方が開口する長孔状のコード挿通孔１１１が形成されており、このコード挿通孔１１１の下方には、横方向に細長い矩形の係止孔１１２が形成されている。
【０００５】
上記板状部材１１０のコード挿通孔１１１の周縁には、樹脂製のコード保護具１０１が上方から嵌め込まれて取り付けられるが、このコード保護具１０１は、平板状の本体部１０２の一方の面（図９の手前側の面）に、上方が開口するＵ字状の保護枠１０４が形成されており、本体部１０２の下端には、Ｌ字状に直角に屈曲した係止片１０５が一体に形成されている。そして、保護枠１０４の外周には凹状溝１０６が形成されている。
【０００６】
而して、コード保護具１０１は、図９に示すように、係止片１０５を下にして板状部材１１０のコード挿通孔１１１に上方から差し込まれて取り付けられる。具体的には、コード保護具１０１の保護枠１０４の外周に形成された凹状溝１０６が板状部材１１０のコード挿通孔１１１の周縁に嵌め込まれ、この状態では該コード保護具１０１の係止片１０５が板状部材１１０の面に当接するため、コード保護具１０１の本体部１０２は、弾性変形して弓状に湾曲する。そして、その状態を維持したままコード保護具１０１を下方（図９の矢印方向）へと押し込めば、図１０に示すように、保護枠１０４が板状部材１１０のコード挿通孔１１１に嵌合するとともに、係止片１０５が板状部材１１０の係止孔１１２に合致した時点で当該コード保護具１０１の本体部１０２が弾性によって元の状態に復元するために係止片１０５が係止孔１１２に嵌合する。これによってコード保護具１０１が板状部材１１０に固定されるとともに、該コード保護具１０１の上方への抜けが防がれ、板状部材１１０のコード挿通孔１１１に通された不図示のコードは、コード保護具１０１によって保護されてその損傷が防がれる。
【先行技術文献】
【特許文献】
【０００７】
【特許文献１】実開昭５６−０２４１８９号公報
【発明の概要】
【発明が解決しようとする課題】
【０００８】
ところで、コード保護具を箱型収容体の板状部材から取り外す場合、箱型収容体の内部にはバッテリ等の機器が収容されているために該箱型収容体の内側からコード保護具にアクセスしてこれを取り外すことは困難である。又、箱型収容体の外側はエンドユーザーや組立作業員等が触ることができるため、エンドユーザー等がコード保護具を簡単に取り外すことができる構造であれば、コードの保護ができなくなってしまう。その一方で、コード保護具を完全に取り外すことができない構造にすると、該コード保護具が破損した場合にこれを簡単に交換することができないために不便である。
【０００９】
特許文献１において提案された図９及び図１０に示すコード保護具１０１の取付構造においては、コード保護具１０１を板状部材１１０に固定した状態では、箱型収容体の内側からコード保護具１０１にアクセスすることが困難であるため、コード保護具１０１が破損した場合等には、該コード保護具１０１を簡単に取り外してこれを新しいものと簡単に交換することができないという問題がある。
【００１０】
本発明は上記問題に鑑みてなされてもので、その目的とする処は、通常の使用状態では簡単に取り外すことができず、交換時等には治具を用いて簡単に取り外すことができるコード保護具を提供することにある。
【課題を解決するための手段】
【００１１】
上記目的を達成するため、請求項１に記載の発明は、箱型収容体を構成し、端縁に向かって開口するコード挿通孔と、該コード挿通孔の両端縁から内方に向かって突設された一対の突起を備える板状部材の前記コード挿通孔の周縁に、該コード挿通孔の開口側から嵌め込まれて取り付けられる樹脂製のコード保護具であって、平板状の本体部の内面に、前記コード挿通孔に係合するフックと、前記コード挿通孔の周縁に嵌合する門型の保護枠と、を設けるとともに、該保護枠の両側に一体に形成されて前記板状部材の前記コード挿通孔に係合する係合片を突設し、前記本体部の上下方向において前記フックと前記係合片との間に矩形窓を形成し、該矩形窓内に、前記本体部からその内面側に向かって突出して前記板状部材を押圧するとともに、前記板状部材の一対の前記突起に係止される係止バネを収容し、前記矩形窓の前記係止バネの周囲に隙間を形成して構成されることを特徴とする。
【００１３】
請求項２に記載の発明は、請求項１に記載の発明において、前記係止バネの基端部に凹溝状の屈曲部を幅方向に沿って形成したことを特徴とする。
【００１４】
請求項３に記載の発明は、請求項１又は２に記載の発明において、前記係合片の前記板状部材の前記コード挿通孔に対向する内面に係合リブを突設するとともに、該係合片に、前記保護枠の外周に沿うスリットを形成したことを特徴とする。
【００１５】
請求項４に記載の発明は、請求項１〜３の何れかに記載の発明において、前記係止バネは、前記フックの中心と左右の前記係合片の各中心を結ぶ直線によって形成される三角形の斜辺上又は三角形によって囲まれる領域内に設けられていることを特徴とする。
【発明の効果】
【００１６】
請求項１に記載の発明によれば、コード保護具は、フックのコード挿通孔への係合と、係合片の板状部材への係合と、係止バネの板状部材への押圧及び保護枠のコード挿通孔への嵌合によって板状部材にワンタッチで簡単且つ確実に取り付けられる。又、コード保護具は、取付状態において係止バネが板状部材の突起に係止されることによって抜けが確実に防がれる他、コード保護具の外面は平面を成して引っ掛かりがないため、通常の使用状態では該コード保護具をエンドユーザーが簡単に取り外すことができず、コード挿通孔に通されたコードがコード保護具によって確実に保護される。そして、コード保護具が破損等したためにこれを交換する必要がある場合には、該コード保護具の矩形窓の係止バネの周囲に形成された隙間に治具を差し込んで係止バネを外側（手前側）に折り曲げて該係止バネと板状部材の突起との係止を解除すれば、当該コード保護具を板状部材から簡単に取り外すことができる。
【００１８】
請求項２に記載の発明によれば、コード保護具の係止バネの基端部（本体部との接続部）に形成された凹溝状の屈曲部を幅方向に沿って形成したため、該係止バネの屈曲が屈曲部を基点として容易になされるとともに、屈曲部の塑性変形が防がれるために当該係止バネの機能が損なわれることがない。
【００１９】
請求項３に記載の発明によれば、コード保護具の係合片に突設された係合リブが板状部材に係合することによって係合片の板状部材に対する係合力が高められるため、コード保護具がより強固に板状部材に固定される。又、コード保護具の係合片に形成されたスリットによって該係合片が弾性変形し易くなって、そのバネ性が高められるため、係合片の板状部材への係合が一層確実になされ、これによって当該コード保護具の板状部材への固定が確実になされる。
【図面の簡単な説明】
【００２０】
【図１】(ａ）は本発明の実施の形態１に係るコード保護具の正面図、（ｂ）は同右側面図、（ｃ）は同背面図、（ｄ）は同平面図、（ｅ）は同底面図である。
【図２】（ａ）は本発明の実施の形態１に係るコード保護具の正面側斜視図、（ｂ）は同背面側斜視図である。
【図３】図２（ａ）のＡ−Ａ線断面図である。
【図４】本発明の実施の形態１に係るコード保護具の板状部材への取付要領を示す正面図である。
【図５】（ａ）は本発明の実施の形態１に係るコード保護具の板状部材への取付状態を示す正面図、（ｂ）は同右側面図、（ｃ）は同背面図である。
【図６】(ａ）は本発明の実施の形態２に係るコード保護具の正面図、（ｂ）は同右側面図、（ｃ）は同背面図、（ｄ）は同平面図、（ｅ）は同底面図である。
【図７】（ａ）は本発明の実施の形態２に係るコード保護具の正面側斜視図、（ｂ）は同背面側斜視図である。
【図８】（ａ）は本発明の実施の形態２に係るコード保護具の板状部材への取付状態を示す正面図、（ｂ）は同右側面図、（ｃ）は同背面図である。
【図９】特許文献１において提案されたコード保護具の取付構造を示す分解斜視図である。
【図１０】特許文献１において提案されたコード保護具の取付構造を示す側断面図である。
【発明を実施するための形態】
【００２１】
＜実施の形態１＞
以下に本発明の実施の形態１を図１〜図５に基づいて説明する。
【００２２】
本実施の形態に係るコード保護具１は、例えば車載バッテリを収容するバッテリボックス等の箱型収容体に取り付けられる樹脂製の部品である。ここで、箱型収容体は、図４に示す板金製の板状部材１０によって構成されているが、垂直に起立する板状部材１０の幅方向中央には、下端縁に向かって開口する略矩形のコード挿通孔１１が形成されており、このコード挿通孔１１の平行な左右両端縁の上方位置には、コード挿通孔１１の内方に向かう左右一対の突起１２が相対向して突設されている。
【００２３】
ところで、本実施の形態に係るコード保護具１は、略矩形平板状の本体部２を備えており、この本体部２の下部の幅方向中央には、板状部材１０のコード挿通孔１１と相似形の下方が開放された矩形の開口部３が形成されている。そして、本体部２の内面（図１（ｃ）の手前側の面）には、開口部３の周縁に沿う門型（アーチ状）の保護枠４が一体に突設されている。ここで、保護枠４は、当該コード保護具１の取付時に、その外周が板状部材１０のコード挿通孔１１に嵌合するものであって、そのコード挿通孔１１との嵌合幅は、下方（当該コード保護具１の反挿入方向）に向かって次第に広くなるように設定されている。つまり、保護枠４のコード挿通孔１１への嵌合代が下方に向かって次第に大きくなるように設定されている。
【００２４】
又、保護枠４の垂直に起立する左右両側部分には、上下方向に長い矩形の係合片５がそれぞれ一体に形成されており、各係合片５と本体部２との間には、板状部材１０が嵌合するための嵌合溝６が上下方向に沿ってそれぞれ形成されている（図１（ｂ）参照）。そして、図１（ｃ），（ｅ）及び図２（ｂ）に示すように、各係合片５には、保護枠４の外周に沿う上下方向のスリット５ａがそれぞれ形成されており、各スリット５ａの上端部は、図１（ｂ）に示すように、斜めにカットされたテーパ面５ｂとされている。又、各係合片５の内面（本体部２に対向する面）の下部には係合リブ５ｃが一体に突設されている。

【００２５】
更に、コード保護具１においては、本体部２の内面上端部の幅方向中央には、上方に向かってＬ字状に屈曲するフック７が一体に形成されている。そして、本体部２の上下方向においてフック７と左右一対の係合片５との間（具体的には、フック７の中心と左右の係合片５の各中心を結ぶ直線によって形成される三角形の斜辺上又は三角形によって囲まれる領域内）には、本体部２の内面側に向かって屈曲する左右一対の矩形の係止バネ８が設けられている。ここで、左右の係止バネ８は、本体部２に形成された矩形窓９内に、基端部（本体部２との接続部）を基点として屈曲可能に収容されているが、図３に示すように、各係止バネ８の基端部には、凹溝状の屈曲部８ａが幅方向に沿ってそれぞれ形成されている。尚、コード保護具１を板状部材１０に取り付ける前の状態では、図１（ｂ）及び図２（ｂ）に示すように、左右の係止バネ８の下端部は本体部２の内面から外に突出している。
【００２６】
次に、以上のように構成されたコード保護具１の板状部材１０への取付要領について説明する。
【００２７】
コード保護具１を板状部材１０に取り付けるには、図４に示すように、該コード保護具１をフック７が形成された側を上にして板状部材１０のコード挿通孔１１に下方から嵌め込んで取り付ける。このとき、コード保護具１の本体部２と左右の係合片５との間に形成された嵌合溝６に板状部材１０のコード挿通孔１１の左右の端縁が嵌め込まれ、この状態を維持したままコード保護具１を上方へと押し込めば、図５に示すように、該コード保護具１の本体部２の内面に突設されたフック７が板状部材１０のコード挿通孔１１の上端縁に嵌め込まれて係止され、同じく本体部２の内面に突設された保護枠４の外周面が板状部材１０のコード挿通孔１１に嵌合するため、コード保護具１が板状部材１０に取り付けられる。このようにコード保護具１が板状部材１０に取り付けられると、該コード保護具１の左右の係止バネ８は、図５（ｃ）に示すように、板状部材１０のコード挿通孔１１に突設された左右の突起１２の肩部にそれぞれ係止される。
【００２８】
而して、上述のようにコード保護具１が板状部材１０に取り付けられた状態では、該コード保護具１の左右の係合片５が係合リブ５ｃを介して板状部材１０に係合し、左右の係止バネ８が板状部材１０を押圧する。このため、コード保護具１は、フック７のコード挿通孔１１への係合と、左右の係合片５の板状部材１０への係合と、係止バネ８の板状部材１０への押圧及び保護枠４のコード挿通孔１１への嵌合によって板状部材１０にワンタッチで簡単且つ確実に取り付けられ、板状部材１０のコード挿通孔１１に通された不図示のコードがコード保護具１によって保護されてその損傷が防がれる。そして、本実施の形態では、コード保護具１の係止バネ８の基端部に凹溝状の屈曲部８ａを幅方向に沿って形成したため、該係止バネ８の屈曲が屈曲部８ａを基点として容易になされるとともに、屈曲部８ａの塑性変形が防がれるために係止バネ８の機能が損なわれることがない。
【００２９】
又、本実施の形態では、コード保護具１の係合片５に突設された係合リブ５ｃが板状部材１０に係合することによって該係合片５の板状部材１０に対する係合力が高められるため、コード保護具１が板状部材１０に一層強固に固定される。
【００３０】
更に、本実施の形態では、コード保護具１の係合片５に形成されたスリット５ａによって該係合片５が弾性変形し易くなって、そのバネ性が高められるため、係合片５の板状部材１０への係合が一層確実になされ、これによって当該コード保護具１の板状部材１０への固定が確実になされる。このため、コードからコード保護具１を板状部材１０の法線方向（図５（ａ）の紙面垂直方向）に引き剥がそうとする外力が作用しても、コード保護具１が板状部材１０から外れることがない。
【００３１】
又、コード保護具１は、取付状態において係止バネ８がコード挿通孔１１に突設された一対の突起１２の肩部に係止されることによって板状部材１０からの下方への抜けが確実に防がれる他、コード保護具１の外面は平面を成して引っ掛かりがないため、通常の使用状態では該コード保護具１をエンドユーザー等が簡単に取り外すことができず、板状部材１０のコード挿通孔１１に通されたコードがコード保護具１によって確実に保護される。
【００３２】
そして、コード保護具１が破損等したためにこれを交換する必要がある場合には、該コード保護具１の各矩形窓９の係止バネ８の周囲に形成された隙間に不図示の治具を差し込んで係止バネ８を外側（図５（ａ）の手前側）に折り曲げれば、該係止バネ８とコード挿通孔１１の突起１２との係止が解除されるため、当該コード保護具１を板状部材１０から簡単に取り外してこれを新しいものと交換することができる。
【００３３】
＜実施の形態２＞
次に、本発明の実施の形態２を図６〜図８に基づいて以下に説明する。
【００３４】
本実施の形態に係るコード保護具１においては、図６（ａ）及び図７（ａ）に示すように、本体部２の左右両側下部には切欠部２ａが形成されており、この切欠部２ａに左右の係合片５が臨んでいる。そして、本実施の形態では、各係合片５には、実施の形態１におけるスリット５ａ（図１（ｃ）参照）は形成されておらず、各係合片５と本体部２との間には実施の形態１における嵌合溝６（図１（ｂ）参照）も形成されていない。
【００３５】
本実施の形態に係るコード保護具１は、上記の点以外は前記実施の形態１と同様に構成されているため、これを図８に示すように板状部材１０にワンタッチで簡単に取り付けることができる。そして、本実施の形態に係るコード保護具１においても、取付状態においては左右の係止バネ８が図８（ｃ）に示すように板状部材１０の左右の突起１２の肩部に係止されるため、通常の使用状態では該コード保護具１をエンドユーザー等が簡単に取り外すことができず、コード保護具１の交換時には不図示の治具を用いて該コード保護具１を簡単に取り外すことができるという効果が得られる。
【００３６】
又、本実施の形態に係るコード保護具１の成形に際しては、型抜き方向が一方向となるためにスライド型が不要となり、金型費を低く抑えてコストダウンを図ることができるという効果も得られる。
【００３７】
ところで、以上の実施の形態では、コード保護具１の係止バネ８が係止される板状部材１０の係止部を、コード挿通孔１１の両端縁から内方に向かって相対向して突設された一対の突起１２で構成したが、板状部材１０のコード挿通孔１１以外に形成された１つ又は複数の矩形孔によって係止部を構成しても良い。又、以上の実施の形態では、係止バネ８を左右２つ設けたが、この係止バネ８が係止される板状部材８の係止部を１つだけ設ければ、係止バネ８の数を１つにすることができる。
【００３８】
尚、本発明は、バッテリボックス以外の任意の箱型収容体におけるコードの保護に用いられるコード保護具に対しても同様に適用可能であることは勿論である。
【符号の説明】
【００３９】
１      コード保護具
２      本体部
２ａ    本体部の切欠部
３      本体部の開口部
４      保護枠
５      係合片
５ａ    係合片のスリット
５ｂ    係合片のテーパ面
５ｃ    係合片の係合リブ
６      嵌合溝
７      フック
８      係止バネ
８ａ    係止バネの屈曲部
９      本体部の矩形窓
１０    板状部材
１１    コード挿通孔
１２    突起（係止部）
【図１】
0006734616.tif 000002
【図２】
0006734616.tif 000003
【図３】
0006734616.tif 000004
【図４】
0006734616.tif 000005
【図５】
0006734616.tif 000006
【図６】
0006734616.tif 000007
【図７】
0006734616.tif 000008
【図８】
0006734616.tif 000009
【図９】
0006734616.tif 000010
【図１０】
0006734616.tif 000011